(57)【特許請求の範囲】
【請求項１】
横枠が経糸保持枠として機能し、縦枠が中央部に設置された平板によって平行に保持されている枠体と、前記平板上に載置して使用する棒状の経糸開口具とからなるものであって、
前記経糸開口具が、長方形の小板で、長辺側の中央部に、Ｕ字型の切り欠きが設けられており、このＵ字型切り欠き部の上端から左右短辺に向けて肩下がりになるように成形されている小板を多数、中央部に存在する棒状芯体にて一定間隔を開けて、長手方向に平行に対面して連なるようにプラスチックで一体成形したもので、前記芯体が、前記小板の隣接する２個の間で、それぞれ、左短辺側又は右短辺側に一定長の割合で突出するようになっており、
前記枠体の平板上に、前記経糸開口具を前記小板の長辺側が上になるように置き、前記小板間の溝に経糸を通して、横枠間に経糸を張り整経した後、前記小板の短辺側が上になるように前記経糸開口具を９０度回転することにより、経糸を小板間に形成された高低の溝に従って開口し、この開口部に緯糸を通すようにして使用するものであることを特徴とする手織機。
【請求項２】
横枠が経糸保持枠として機能し、縦枠が中央部に設置された平板によって平行に保持されている手織機の前記平板上に載置して使用することができる棒状の経糸開口具であって、長方形の小板で、長辺側の中央部に、Ｕ字型の切り欠きが設けられており、このＵ字型切り欠き部の上端から左右短辺に向けて肩下がりになるように成形されている小板を多数、中央部に存在する棒状芯体にて一定間隔を開けて、長手方向に平行に対面して連なるようにプラスチックで一体成形したものであり、かつ、前記芯体が、前記小板の隣接する２個の間で、それぞれ、左短辺側又は右短辺側に一定長の割合で突出するようになっており、前記平板上に、前記小板の長辺側が上になるように置き、前記小板間の溝に経糸を通して、横枠間に経糸を張り整経した後、前記小板の短辺側が上になるように９０度回転することにより、経糸を小板間に形成された高低の溝に従って開口できるものであることを特徴とする経糸開口具。
【発明の詳細な説明】
【０００１】
【発明の属する技術分野】
本発明は、整経が容易で、扱い易い手織機に関する。
【０００２】
【従来の技術】
手織機として、作動板を多数並列させてなる棒状の経糸開口具を使用して、作動板間の溝に経糸を挟持させることにより、整経を容易にするものが種々開発されているが、かかる経糸開口具は、枠体に固定して使用するものであり、その位置を調節して、経糸の張り具合を調整することはできず、また、製織時に、筬打ちをするための器具が必要であり、製織時の手間は、通常の手織機と変化なかった。
【０００３】
【発明が解決しようとする課題】
本発明は、整経が容易で、しかも、製織時の経糸の張り具合の調整や筬打ちも、非常に作業性よく実施できる手織機を提供することを課題とする。
【０００４】
【課題を解決するための手段】
本発明の手織機は、枠体と、プラスチックの一体成形物である棒状の経糸開口具からなるものであり、枠体の縦枠が、中央部に設置された平板によって、平行に保持されていること、及び枠体の横枠が、経糸保持枠として機能するものであること、並びに、前記経糸開口具が、実質的に長方形の小板が多数、中央部に存在する棒状芯体にて一定間隔を開けて、長手方向に平行に対面して連なるように一体成形したものであり、かつ、前記芯体が、前記小板の隣接する２個の間で、それぞれ、左短辺側又は右短辺側に一定長の割合で突出するようになっていることを特徴とする。
【０００５】
前記経糸開口具の小板は、長辺側の中央部が実質的にＵ字型に切り欠かれており、このＵ字型切り欠き部の上端から左右短辺に向けて肩下がりになるように成形されているのが、整経及び製織時に取り扱い易く、好ましい。
【０００６】
なお、横枠は、縦枠の先端部に着脱可能となっているのがよく、また、経糸を引っ掛けて整経できるように、経糸保持用のピンを等間隔で密に設置してなるものが好ましい。かかる横枠は、経糸や織布の巻き取り具としても役立つものであり、例えば、横枠を、中心軸から上下前後に突出した板面を有する断面十字型の棒体からなるものとし、この板面の一に、経糸保持用のピンが等間隔で密に設置されているものとすることにより、操作性よく使用できるものとなる。
【０００７】
かかる本発明の手織機では、枠体の平板上に、棒状の経糸開口具を、それを構成する小板の長辺側が上になるように置き、この経糸開口具の小板間の溝に経糸が通るようにして、前後の横枠間に経糸を張り、容易に整経できるものであり、このように整経した後に、経糸開口具を立てる（９０度回転させて小板の短辺側を上にする）ことにより、経糸が、小板間に形成された高低の溝に従って、開口するので、この間に緯糸を通し、次いで、経糸開口具を９０度に回転させ、寝かせ（小板の長辺側を上にし）、手前に引くことにより、緯糸を均一に打ち込むことができる。その後、再び、経糸開口具を後方に引き、９０度回転させ、前回と逆方向の短辺側を上にして立てることによって、経糸の開口を前回とは異なるものとし、該開口部に緯糸を通すという繰り返しにより、品質のよい製織が可能となる。
【０００８】
縦枠間に設けた平板は、縦枠を安定して、平行に支持するというだけでなく、プラスチック製の経糸開口具を変形することなく、安定して使用できるように役立つものであり、通常、縦枠の長さの６／１０〜２／１０の長さに形成されればよく、特に５／１０〜３／１０程度に形成されるのがよい。
【０００９】
【発明の実施の形態】
次に、図面に示す実施例に従って、本発明を更に詳しく説明する。
この例では、枠体１は木材からなるものであり、図１に示す如く、厚さ1.５cm、高さ4.５cm、長さ６０cmの二本の棒を縦枠１ａ、１ｂとするものであり、該縦枠１ａ、１ｂは、厚さ1.５cm、幅４４cm、長さ２０cmの平板２を、表面が面一となるように、中央部に挟持して、平行に固定されている。
縦枠１ａ、１ｂには、それぞれ前端に、高さ約１cm、長さ約１１cmの切り欠き溝３ａが設けられ、後端に、高さ約１cm、長さ約２cmの切り欠き溝３ｂが設けられている。
【００１０】
これらの切り欠き溝３ａ、３ｂには、横枠１ｃ、１ｄが着脱可能となっているが、この横枠１ｃ、１ｄは、図２に示す如く、中心軸から上下前後に突出した板面４が存在する断面十字型の棒体からなり、前記板面４の一に、経糸保持用のピン５が等間隔で密に設置されており、両端部に突出した中心軸には、ネジ切りされており、該軸を縦枠１ａ、１ｂの切り欠き溝３ａ、３ｂに通して、ナットにより、定位置に固定できるようになっている。
【００１１】
なお、この枠体１の上で使用する経糸開口具６はＡＢＳ樹脂の一体成形物であり、図３の如き形状の小板７（３６mm×１８mm×１mmの板）の長辺８の中央部が長さ１８mm、深さ２mmの実質的にＵ字型に切り欠かれており、かつ、短辺９は中央部の１４mmを残して両側が、肩下がりとなるように形成されている。
【００１２】
経糸開口具６は、かかる小板７を、約2.５mm間隔で、多数平行に連結してなるものであるが、これらを連結する中央部に存在する棒状芯体１０は、小板７の隣接する２個の間で、それぞれ、左短辺側又は右短辺側に一定長の割合で突出するようになっている。
【００１３】
即ち、小板７の短辺側には、深さ１５mm又は５mmの溝１１ａ、１１ｂが形成され、長辺側には、Ｕ字型切り欠き部１２の下に深さ約２mmの溝１３が形成されるように、小板７と芯体１０が一体成形されている。
【００１４】
経糸開口具６の小板７が連結された作用部分は約４６cmで、その両端に、指でもって、経糸開口具６を回転させたり、移動させることができる把持部１４が設けられている。
【００１５】
このような手織機は、縦枠１ａ、１ｂの切り欠き溝３ａ、３ｂに横枠１ｃ、１ｄを固定し、経糸開口具６を、平板２の上に、Ｕ字型切り欠き部１２が上下となるように置き、経糸１５を横枠１ｃと１ｄのピン５に引っ掛けて、整経する。この間、糸開口具６のＵ字型切り欠き部１２の下の溝１３に経糸１５を置くだけで、綜絖と同様に機能させることができる（図４のＡ参照）。
【００１６】
このように整経した後、経糸開口具６を、平板２の上で、Ｕ型溝切り欠き部１２が前後となるように立てることにより、隣接する小板７間の溝１１ａ、１１ｂに高低があるため、高い溝１１ａに位置する経糸１５と低い溝１１ｂに位置する経糸１５の間で、杼口が形成される（図４のＢ参照）ので、そこに緯糸を通し、次いで、経糸開口具６を９０度後方に回転させ、手前に引くことにより、経糸開口具６の短辺で緯糸を、織前に均一に打ち込み（図４のＣ参照）、その後、経糸開口具６を、平板２の中央部に戻し、後方に９０度回転させて立てることによって、経糸の開口を前回とは異なるものとし（隣接する小板４間の溝の高低を逆となし、新たな杼口を形成する）（図４のＤ参照）、該開口部に緯糸を通し、経糸開口具６を、後方に９０度回転させて、手前に引くことにより、経糸開口具６の短辺で緯糸を、織前に打ち込むという操作を繰り返し、品質のよい織物を製織できる。
【００１７】
【発明の効果】
本発明の手織機は、綜絖の穴を通すことなく、だれもが容易に整経できるものであり、また、一本の糸でも、横枠１ｃ、１ｄ間を往復させるだけで、整経が可能である。
更に、経糸開口具６をプラスチックの一体成形で製造できるため、比較的安価に、均質で取り扱い易い製品を得ることができる。また、経糸開口具６が棒状のプラスチックの一体成形であっても、枠体１に平板２が取り付けられているため、その上で、経糸開口具６を歪みが生ずることなく、精度よく使用できる。
本発明の経糸開口具６は、綜絖として役立つだけでなく、筬打ちにも効果的に使用できるため、余分な器具を使用することなく、品質のよい織物の製造が可能となる。
【図面の簡単な説明】
【図１】図１は、本発明の装置の一例を示す斜視図である。
【図２】図２は、図１の装置で使用する横枠の説明図で、Ａは断面図、Ｂは要部正面図である。
【図３】図３は、図１の装置で使用する経糸開口具の説明図で、Ａは平板の平面図、Ｂは要部正面図、Ｃは要部側面図、Ｄは要部斜視図である。
【図４】図４は、図１の装置を使用した製織工程を示す説明図である。
【符号の説明】
１ａ、１ｂ  縦枠
１ｃ、１ｄ  横枠
２          平板
３ａ、３ｂ  切り欠き溝
４          板面
５          ピン
６          経糸開口具
７          小板
８          長辺
９          短辺
１０          棒状芯体
１１ａ、１１ｂ溝
１２          Ｕ字型切り欠き部
１３          溝
１４          把持部
１５          経糸
【図１】
0004330219.tif 000002
【図２】
0004330219.tif 000003
【図３】
0004330219.tif 000004
【図４】
0004330219.tif 000005